【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
ピアの自動構成を伴うネットワーク化されたメディアハブデバイスを自己構成するシステムであって、特定のメディアハブデバイスは、該特定のメディアハブデバイスを自動的に構成するために使用される構成データの少なくとも一部に基づいて、メディアをユーザに提供するように構成され、
前記システムは、１つ以上のコンピュータプログラム命令によるプログラムが組み込まれた１つ以上の物理プロセッサを備えたメディアハブデバイスを有し、
前記メディアハブデバイスは、
ネットワーク上の１つ以上のピアメディアハブデバイスを識別することと、
前記１つ以上のピアメディアハブデバイスのそれぞれの識別情報を、前記ネットワーク上の既知のピアメディアハブデバイスのリストと比較することと、
前記ネットワーク上で識別された前記１つ以上のピアメディアハブデバイスの中の少なくとも第１のメディアハブデバイスが、前記比較に基づいて既知のピアメディアハブデバイスのリストにないことを判定することと、
前記ネットワークを介して、第１の構成データの少なくとも一部を前記第１のメディアハブデバイスに送信することと、を行い、
前記第１のメディアハブデバイスは、前記メディアハブデバイスによって与えられる前記第１の構成データの前記一部に基づいて自らを構成する、メディアハブデバイスを自己構成するシステム。
【請求項２】
前記メディアハブデバイスは、
前記比較に基づいて、前記既知のピアメディアハブデバイスの中の少なくとも第２のメディアハブデバイスが、前記ネットワーク上で識別された前記１つ以上のピアメディアハブデバイスから欠けていると判定することと、
前記第２のメディアハブデバイスが前記第１のメディアハブデバイスに取って代わられるべきであると判定することと、を行うように更にプログラムが組み込まれ、
前記第１の構成データの前記一部が前記第２のメディアハブデバイスに関連し、前記第２のメディアハブデバイスを構成するために使用され、前記第１のメディアハブデバイスは、前記第１の構成データの前記一部で構成されるときに、前記第２のメディアハブデバイスに取って代わるように動作する、請求項１に記載のシステム。
【請求項３】
前記第２のメディアハブデバイスが前記第１のメディアハブデバイスに取って代わられるべきであると判定するために、前記メディアハブデバイスは、前記第２のメディアハブデバイスが検出された後の持続時間を判定することと、前記持続時間が閾値時間を超えると判定することとを行うように更にプログラムが組み込まれている、請求項２に記載のシステム。
【請求項４】
前記メディアハブデバイスは、前記第１の構成データの全てを前記第１のメディアハブデバイスに送信するようにプログラムが組み込まれている、請求項１に記載のシステム。
【請求項５】
前記メディアハブデバイスは、前記第１の構成データの第１の部分のみを前記第１のメディアハブデバイスに送信するようにプログラムが組み込まれ、前記１つ以上のピアメディアハブデバイスのうちの少なくとも別のピアメディアハブデバイスが、前記第１の構成データの第２の部分を前記第１のメディアハブデバイスに送信するようにプログラムが組み込まれ、前記第１のメディアハブデバイスは前記第１の部分及び前記第２の部分に基づいて自らを構成する、請求項１に記載のシステム。
【請求項６】
前記メディアハブデバイスは、
前記比較に基づいて、前記既知のピアメディアハブデバイスの中の少なくとも第２のメディアハブデバイスが、前記ネットワーク上で識別された前記１つ以上のピアメディアハブデバイスから欠けていると判定することと、
リモートシステムに、前記第２のメディアハブデバイスが検出されなかったことを示すアラートを与えることと、
を行うように更にプログラムが組み込まれている、請求項１に記載のシステム。
【請求項７】
前記メディアハブデバイスは、
前記メディアハブデバイスの初期設定時に、リモートシステムから、前記メディアハブデバイスが配置される場所内の前記メディアハブデバイスの少なくとも１つの場所を含み、前記メディアハブデバイスのための構成データを受信することと、
前記メディアハブデバイスのための前記構成データをローカル構成データストアに記憶することと、
前記メディアハブデバイスのための前記構成データに基づいて、前記メディアハブデバイスを構成することと、
を行うように更にプログラムが組み込まれている、請求項１に記載のシステム。
【請求項８】
ピアの自動構成を伴うネットワーク化されたメディアハブデバイスを自己構成するコンピュータで実施される方法であって、特定のメディアハブデバイスは、該特定のメディアハブデバイスを自動的に構成するために使用される構成データの少なくとも一部に基づいて、メディアをユーザに提供するように構成され、
前記方法は、１つ以上のコンピュータプログラム命令によって該方法を実行するようにプログラムが組み込まれている、１つ以上の物理的プロセッサを備えるメディアハブデバイスによって実施され、
前記メディアハブデバイスによって、ネットワーク上で１つ以上のピアメディアハブデバイスを識別することと、
前記メディアハブデバイスによって、前記１つ以上のピアメディアハブデバイスのそれぞれの識別情報を前記ネットワーク上の既知のピアメディアハブデバイスのリストと比較することと、
前記メディアハブデバイスによって、前記比較に基づいて、前記ネットワーク上で識別された前記１つ以上のピアメディアハブデバイスの中の少なくとも第１のメディアハブデバイスが、前記既知のピアメディアハブデバイスのリスト上にないと判定することと、
前記メディアハブデバイスによって、前記ネットワークを介して、前記第１のメディアハブデバイスに第１の構成データの少なくとも一部を送信することと、を含み、
前記第１のメディアハブデバイスは、前記メディアハブデバイスによって与えられる前記第１の構成データの前記一部に基づいて自らを構成する、メディアハブデバイスを自己構成する方法。
【請求項９】
前記メディアハブデバイスによって、前記比較に基づいて、前記既知のピアメディアハブデバイスの中の少なくとも第２のメディアハブデバイスが、前記ネットワーク上で識別された前記１つ以上のピアメディアハブデバイスから欠けていると判定することと、
前記第２のメディアハブデバイスが前記第１のメディアハブデバイスに取って代わられるべきであると判定することと、を更に含み、
前記第１の構成データの前記一部が前記第２のメディアハブデバイスに関連し、前記第２のメディアハブデバイスを構成するために使用され、前記第１のメディアハブデバイスは、前記第１の構成データの前記一部で構成されるときに、前記第２のメディアハブデバイスに取って代わるように動作する、請求項８に記載の方法。
【請求項１０】
前記第２のメディアハブデバイスが前記第１のメディアハブデバイスと取って代わられるべきであると判定することは、
前記メディアハブデバイスによって、前記第２のメディアハブデバイスが検出された後の持続時間を判定することと、
前記メディアハブデバイスによって、前記持続時間が閾値時間を超えると判定することと、
を含む、請求項９に記載の方法。
【請求項１１】
前記第１の構成データの前記少なくとも一部を前記第１のメディアハブデバイスに送信することは、前記第１の構成データの全てを前記第１のメディアハブデバイスに送信することを含む、請求項８に記載の方法。
【請求項１２】
前記第１の構成データの前記少なくとも一部を前記第１のメディアハブデバイスに送信することは、前記第１の構成データの第１の部分のみを前記第１のメディアハブデバイスに送信することを含み、前記１つ以上のピアメディアハブデバイスのうちの少なくとも別のピアメディアハブデバイスが、前記第１の構成データの第２の部分を前記第１のメディアハブデバイスに送信するようにプログラムが組み込まれ、前記第１のメディアハブデバイスは前記第１の部分及び前記第２の部分に基づいて自らを構成する、請求項８に記載の方法。
【請求項１３】
前記メディアハブデバイスによって、前記比較に基づいて、前記既知のピアメディアハブデバイスの中の少なくとも第２のメディアハブデバイスが、前記ネットワーク上で識別された前記１つ以上のピアメディアハブデバイスから欠けていると判定することと、
前記メディアハブデバイスによって、リモートシステムに、前記第２のメディアハブデバイスが検出されなかったことを示すアラートを与えることと、
を更に含む、請求項８に記載の方法。
【請求項１４】
前記メディアハブデバイスの初期設定時に、前記メディアハブデバイスによって、リモートシステムから、前記メディアハブデバイスが配置される場所内の前記メディアハブデバイスの少なくとも１つの場所を含み、前記メディアハブデバイスのための構成データを受信することと、
前記メディアハブデバイスによって、前記メディアハブデバイスのための前記構成データをローカル構成データストアに記憶することと、
前記メディアハブデバイスによって、前記メディアハブデバイスのための前記構成データに基づいて、前記メディアハブデバイスを構成することと、
を更に含む、請求項８に記載の方法。
【請求項１５】
少なくとも１つのメディアハブデバイスが配置される場所においてユーザデバイスを受動的に監視するためのシステムであって、該システムは、
前記場所において、ワイヤレス通信チャネル上で１つ以上のユーザデバイスを受動的に監視することと、
第１のユーザデバイスのための少なくとも第１の識別情報を含み、前記１つ以上のユーザデバイスのための識別情報を取得することと、
前記第１の識別情報が、前記第１のユーザデバイスが前記第１のユーザデバイス上に小売業者特有又はシステム特有のクライアントアプリケーションをインストールしたことを示す情報に関連付けられると判定することと、
前記第１のユーザデバイスのために対象となるメディアを識別することと、
前記ワイヤレス通信チャネルを介して、前記第１のユーザデバイスに前記メディアを送信することと、
を行う１つ以上のコンピュータプログラム命令によるプログラムが組み込まれている１つ以上の物理的プロセッサを備えるメディアハブデバイスを備える、ユーザデバイスを受動的に監視するシステム。
【請求項１６】
前記メディアハブデバイスは、ＰＯＳ端末に関連付けられるＰＯＳプリンタに埋め込まれているか、又は、該ＰＯＳプリンタを含み、前記配置される場所は小売業者の場所を含み、前記ＰＯＳ端末における取引が未決であると判定するようにプログラムが組み込まれ、
前記メディアは、前記取引が未決である間に前記第１のユーザデバイスに送信される、請求項１５に記載のシステム。
【請求項１７】
前記メディアハブデバイスは、
前記取引が完了したと判定することと、
前記第１のユーザデバイスのための対象となる第２のメディアを識別することと、
前記取引が完了した後に、前記ワイヤレス通信チャネルを介して、前記第１のユーザデバイスに前記第２のメディアを送信することと、
を行うようにプログラムが組み込まれている、請求項１６に記載のシステム。
【請求項１８】
前記メディアハブデバイスは、
前記ワイヤレス通信チャネルを介して、前記第１のユーザデバイスに電子領収書を送信するようにプログラムが組み込まれ、
前記第２のメディアは、前記電子領収書に埋め込まれているか、又は、該電子領収書とは別に与えられる、請求項１７に記載のシステム。
【請求項１９】
前記メディアハブデバイスは、
前記ＰＯＳ端末から顧客識別情報を取得することであって、該顧客識別情報は前記ＰＯＳ端末における前記取引に関連付けて使用されることと、
前記第１の識別情報に関連付けて前記顧客識別情報を記憶することと、
前記顧客識別情報と前記第１の識別情報との間の関連付けを、ネットワークを介してオファー管理システムに送信することと、
を行うように更にプログラムが組み込まれている、請求項１６に記載のシステム。
【請求項２０】
前記システムは前記オファー管理システムを含み、該オファー管理システムは１つ以上の第２の物理的プロセッサによって、
前記メディアハブデバイスに関連付けられる活動とは異なる、前記第１のユーザデバイスのオンライン活動を監視することと、
監視されたオンライン活動に基づいて、前記第１のユーザデバイスのための第２の対象メディアを識別することと、
前記第１のユーザデバイスに前記第２の対象メディアを送信することと、
を行うようにプログラムが組み込まれている、請求項１９に記載のシステム。
【請求項２１】
前記システムは、前記オファー管理システムを含み、該オファー管理システムは１つ以上の第２の物理的プロセッサによって、
前記メディアハブデバイスに関連付けられる活動とは異なる、前記第１のユーザデバイスのオンライン活動を監視することと、
前記ＰＯＳ端末における前記取引に基づいて、前記第１のユーザデバイスのための第２の対象メディアを識別することと、
前記第１のユーザデバイスがオンライン中に、前記第１のユーザデバイスに前記第２の対象メディアを送信することと、
を行うようにプログラムが組み込まれている、請求項１９に記載のシステム。
【請求項２２】
少なくとも１つのメディアハブデバイスが配置される場所においてユーザデバイスを受動的に監視するコンピュータにより実施される方法であって、
前記方法は、該方法を実行するために１つ以上のコンピュータプログラム命令によるプログラムが組み込まれている１つ以上の物理的プロセッサを備えるメディアハブデバイス上で実施され、
前記メディアハブデバイスによって、前記場所において、ワイヤレス通信チャネル上で１つ以上のユーザデバイスを受動的に監視することと、
前記メディアハブデバイスによって、第１のユーザデバイスのための少なくとも第１の識別情報を含み、前記１つ以上のユーザデバイスのための識別情報を取得することと、
前記メディアハブデバイスによって、前記第１の識別情報が、前記第１のユーザデバイスが前記第１のユーザデバイス上に小売業者特有又はシステム特有のクライアントアプリケーションをインストールしたことを示す情報に関連付けられると判定することと、
前記メディアハブデバイスによって、前記第１のユーザデバイスのための対象となるメディアを識別することと、
前記メディアハブデバイスによって、前記ワイヤレス通信チャネルを介して前記第１のユーザデバイスに前記メディアを送信することと、
を含む、ユーザデバイスを受動的に監視する方法。
【請求項２３】
前記メディアハブデバイスは、ＰＯＳ端末に関連付けられるＰＯＳプリンタに組み込まれているか、又は、該ＰＯＳプリンタを含み、前記配置される場所は小売業者の場所を含み、
前記メディアハブデバイスによって、前記ＰＯＳ端末における取引が未決であると判定することを更に含み、前記取引が未決である間に、前記第１のユーザデバイスに前記メディアが送信される、請求項２２に記載の方法。
【請求項２４】
前記メディアハブデバイスによって、前記取引が完了したと判定することと、
前記メディアハブデバイスによって、前記第１のユーザデバイスのための対象となる第２のメディアを識別することと、
前記メディアハブデバイスによって、前記取引が完了した後に、前記ワイヤレス通信チャネルを介して、前記第１のユーザデバイスに前記第２のメディアを送信することと、
を更に含む、請求項２３に記載の方法。
【請求項２５】
前記メディアハブデバイスによって、前記ワイヤレス通信チャネルを介して、前記第１のユーザデバイスに電子領収書を送信することを更に含み、
前記第２のメディアは、前記電子領収書に埋め込まれているか、又は、該電子領収書とは別に与えられる、請求項２４に記載の方法。
【請求項２６】
前記メディアハブデバイスによって、前記ＰＯＳ端末から顧客識別情報を取得することであって、該顧客識別情報は前記ＰＯＳ端末における前記取引に関連付けて使用されることと、
前記メディアハブデバイスによって、前記第１の識別情報に関連付けて前記顧客識別情報を記憶することと、
前記メディアハブデバイスによって、ネットワークを介して、オファー管理システムに前記顧客識別情報と前記第１の識別情報との間の関連付けを送信することと、
を更に含む、請求項２３に記載の方法。
【請求項２７】
前記オファー管理システムによって、前記メディアハブデバイスに関連付けられる活動とは異なる、前記第１のユーザデバイスのオンライン活動を監視することと、
前記オファー管理システムによって、監視されたオンライン活動に基づいて、前記第１のユーザデバイスのための第２の対象メディアを識別することと、
前記オファー管理システムによって、前記第１のユーザデバイスに前記第２の対象メディアを送信することと、
を更に含む、請求項２６に記載の方法。
【請求項２８】
前記オファー管理システムによって、前記メディアハブデバイスに関連付けられる活動とは異なる、前記第１のユーザデバイスのオンライン活動を監視することと、
前記オファー管理システムによって、前記ＰＯＳ端末における前記取引に基づいて、前記第１のユーザデバイスのための第２の対象メディアを識別することと、
前記第１のユーザデバイスがオンライン中に、前記オファー管理システムによって、前記第１のユーザデバイスに前記第２の対象メディアを送信することと、
を更に含む、請求項２６に記載の方法。